(57)【要約】  【課題】  スピンドルモータを冷却させる際にスピンドルモータに余分な負荷を与えず、ディスクの回転時に生じる風でスピンドルモータの温度上昇を効率よく抑制でき、安価なモータを用いてもその耐久性が損なわれずコストダウンを図れるディスク装置を提供する。【解決手段】  ディスクトレイ７に、ディスクの回転によって生じる回転風をスピンドルモータ１の位置まで誘導する風誘導路８が形成されると共にスピンドルモータの近傍にスピンドルモータを取り巻く通風路９が形成され、ディスクトレイの先端側からスピンドルモータの近傍まで形成された風誘導路は、スピンドルモータ側に向けて幅が狭く形成され、ディスクトレイの側部側に形成された他の風誘導路８はスピンドルモータの側面を風が這うような向きに吹き出されるように略Ｓ字形に形成され、スピンドルモータ側に向けて幅が狭く形成され、通風路で風がスピンドルモータを這うように通過して冷却する。【選択図】  図２
2008176874.tif 000002
【特許請求の範囲】
【請求項１】
ディスクトレイのディスク載置部に載置されてセット位置に搬入されたディスクが、そのセット位置で、スピンドルモータの回転軸に連結されたターンテーブルとクランパーとからなるチャッキング機構により前記ディスクトレイから浮き上がった位置で保持され、前記スピンドルモータによって前記チャッキング機構と共に回転駆動されるディスクの記録面が光学的に走査されるディスク装置において、前記ディスクトレイに、前記ターンテーブルの回転時に前記ディスクの回転によって生じる回転風を前記スピンドルモータの位置まで誘導する複数の風誘導路が形成されると共に前記スピンドルモータの近傍に前記スピンドルモータを取り巻く通風路が形成され、この通風路は前記スピンドルモータ側でその下部が斜め下向きに形成されており、前記ディスクトレイの先端側から前記スピンドルモータの近傍まで形成された風誘導路は、前記スピンドルモータの近づくにつれてその幅が狭くなるように形成され、前記ディスクトレイの側部側に形成された他の複数の風誘導路は前記スピンドルモータの側面を風が這うような向きに吹き出されるように略Ｓ字形に形成されると共に前記スピンドルモータの位置に近づくにつれてその幅が狭くなるように形成され、前記各風誘導路に誘導された前記風が前記通風路で前記スピンドルモータの側面に這うように通過して前記スピンドルモータを冷却するようにしたことを特徴とするディスク装置。
【請求項２】
ディスクトレイのディスク載置部に載置されてセット位置に搬入されたディスクが、そのセット位置で、スピンドルモータの回転軸に連結されたターンテーブルとクランパーとからなるチャッキング機構により前記ディスクトレイから浮き上がった位置で保持され、前記スピンドルモータによって前記チャッキング機構と共に回転駆動されるディスクの記録面が光学的に走査されるディスク装置において、前記ディスクトレイに、前記ターンテーブルの回転時に前記ディスクの回転によって生じる回転風を前記スピンドルモータの位置まで誘導する１又は複数の風誘導路が形成されると共に前記スピンドルモータの近傍に前記スピンドルモータを取り巻く通風路が形成され、前記風誘導路に誘導された風が前記通風路で前記スピンドルモータの側面を這うように通過して前記スピンドルモータを冷却するようにしたことを特徴とするディスク装置。
【請求項３】
前記風導入路は、スピンドルモータに近づくにつれてその幅が狭くなるように形成されている請求項２に記載のディスク装置。
【請求項４】
前記風誘導路は前記ディスクトレイの先端側から前記スピンドルモータに向けて一箇所設けられ、その途中部から両側方に枝分かれして前記スピンドルモータの側面を風が這うような向きに吹き出されるように略Ｓ字形に形成され、前記風誘導路と枝分かれした風誘導路に誘導された前記風が前記通風路で前記スピンドルモータの側面を這うように通過して前記スピンドルモータを冷却するようにした請求項２又は３に記載のディスク装置。
【請求項５】
前記通風路は前記スピンドルモータ側でその下部が略Ｌ字形に広がるように形成されている請求項２乃至４のいずれかに記載のディスク装置。
【発明の詳細な説明】
【技術分野】
【０００１】
本発明は、ディスクトレイのディスク載置部に載置されてセット位置に搬入されたディスクが、そのセット位置で、スピンドルモータの回転軸に連結されたターンテーブルとクランパーとからなるチャッキング機構によりディスクトレイから浮き上がった位置で保持され、スピンドルモータによってチャッキング機構と共に回転駆動されるディスクの記録面が光学的に走査されるディスク装置に関するものである。
【背景技術】
【０００２】
第１の従来技術を図７、図８に示す。この従来のディスク装置は、図７、図８に示すように、ディスクＤの回転に伴ってディスクＤとディスクトレイ１０１のディスク載置部１１２との間の隙間Ｓに誘起される回転風を、ディスクトレイ１０１に設けた通風路１０７によってディスク載置部１１２の表面側から裏面側へ誘導させた後、ディスク載置部１１２の裏面を這わせてモータ１０３の設置箇所に配向させる。ディスク載置部１１２の裏面に、終部に近い箇所ほど溝幅が狭くなる形状を有する溝形風路１０８を形成する。（例えば、特許文献１参照）。
【０００３】
ところが、これにおいては、複数の溝形通路１０８を通った風がモータ１０３に当たったときに、両側に分散されて隣の溝形１０８を通って分散された風と当たって相殺されてしまうか逆風が発生するために、モータ１０３に負荷がかかり、冷却効果が劣るという問題があった。
【０００４】
第２の従来技術を図９（ａ）（ｂ）に示す。この従来のディスク装置は、図９（ａ）（ｂ）に示すように、ケーシング２０１内のメインシャーシ２０２にトレイ２０３が前後進ａ，ｂ可能に配置され、トレイ２０３の上面２０３ａの前後両端部にディスクＤ載置用凹部２０４を取り囲むようにして複数の通気孔２２２が形成され、各通気孔２２２より外側でその各通気孔２２２の側縁に沿って誘導板２２３が立設されており、ディスクＤの高速回転に伴う空気流を各誘導板２２３に沿って各通気孔２２２内に誘導するようにした。（例えば、特許文献２参照）。
【０００５】
ところが、これにおいては、空気流がトレイ２０３の下側に流れ込むようにしているだけであって、トレイ２０３の下側における空気流の流れについては記載されていないものである。従って、トレイ２０３の下側に流れ込んだ空気流はトレイ２０３の下側で分散されてしまうから、空気流を有効活用してなくてスピンドルモータ２１１を効率的に冷却することができないという問題があった。
【０００６】
第３の従来技術を図１０（ａ）（ｂ）に示す。この従来のハードディスクドライブの空気浄化装置は、図１０（ａ）（ｂ）に示すように、ステータ３１１と回転軸３０８とロータ３０１とからなるスピンドルモーターと、スピンドルモーターのロータ３０１外周面にディスク３０４を装着してなるハードディスクドライブにおいて、ロータ３０１上側にロータ３０１が回転することにより中央に空気を集めることができる上部の空気誘導器具３０５を形成し、ロータ３０１の下側にロータ３０１が回転することにより中央に空気を集めることができる下部の空気誘導器具３０６を形成し、回転軸３０８の周辺で下部の外側に連結された空気排出部３０７を形成してディスク周辺の空気が中央に収集された後に下部の外側に排出されるように構成する。（例えば、特許文献３参照）。
【０００７】
ところが、これにおいては、風が円周方向に流れるために中心部にはあまり風がなく、中心部に向う風の風速が弱くてスピンドルモーターの冷却効果が弱いという問題があると共に、回転軸３０８の加工が難しいという問題があった。
【特許文献１】特開２００６−４０３８９号公報
【特許文献２】特開２００５−３２７３４７号公報
【特許文献３】特開平１０−６９７５３号公報
【発明の開示】
【発明が解決しようとする課題】
【０００８】
本発明は、上記従来の問題に鑑みてなされたものであって、スピンドルモータを冷却させる際にスピンドルモータに余分な負荷を与えることなく、ディスクの回転時に生じる風でスピンドルモータの温度上昇を効率よく抑制することができ、安価なモータを用いてもその耐久性が損なわれずにコストダウンを図れるディスク装置を提供することを目的としている。
【課題を解決するための手段】
【０００９】
本発明は、上記課題を解決するために提案されたものであって、請求項１に記載の発明は、ディスクトレイのディスク載置部に載置されてセット位置に搬入されたディスクが、そのセット位置で、スピンドルモータの回転軸に連結されたターンテーブルとクランパーとからなるチャッキング機構により前記ディスクトレイから浮き上がった位置で保持され、前記スピンドルモータによって前記チャッキング機構と共に回転駆動されるディスクの記録面が光学的に走査されるディスク装置において、前記ディスクトレイに、前記ターンテーブルの回転時に前記ディスクの回転によって生じる回転風を前記スピンドルモータの位置まで誘導する複数の風誘導路が形成されると共に前記スピンドルモータの近傍に前記スピンドルモータを取り巻く通風路が形成され、この通風路は前記スピンドルモータ側でその下部が斜め下向きに形成されており、前記ディスクトレイの先端側から前記スピンドルモータの近傍まで形成された風誘導路は、前記スピンドルモータの近づくにつれてその幅が狭くなるように形成され、前記ディスクトレイの側部側に形成された他の複数の風誘導路は前記スピンドルモータの側面を風が這うような向きに吹き出されるように略Ｓ字形に形成されると共に前記スピンドルモータの位置に近づくにつれてその幅が狭くなるように形成され、前記各風誘導路に誘導された前記風が前記通風路で前記スピンドルモータの側面に這うように通過して前記スピンドルモータを冷却するようにしたことを特徴としている。
【００１０】
請求項２に記載の発明は、ディスクトレイのディスク載置部に載置されてセット位置に搬入されたディスクが、そのセット位置で、スピンドルモータの回転軸に連結されたターンテーブルとクランパーとからなるチャッキング機構により前記ディスクトレイから浮き上がった位置で保持され、前記スピンドルモータによって前記チャッキング機構と共に回転駆動されるディスクの記録面が光学的に走査されるディスク装置において、前記ディスクトレイに、前記ターンテーブルの回転時に前記ディスクの回転によって生じる回転風を前記スピンドルモータの位置まで誘導する１又は複数の風誘導路が形成されると共に前記スピンドルモータの近傍に前記スピンドルモータを取り巻く通風路が形成され、前記風誘導路に誘導された風が前記通風路で前記スピンドルモータの側面を這うように通過して前記スピンドルモータを冷却するようにしたことを特徴としている。
【００１１】
請求項３に記載の発明は、請求項２に記載の発明において、前記風導入路は、スピンドルモータに近づくにつれてその幅が狭くなるように形成されている。
【００１２】
請求項４に記載の発明は、請求項２又は３に記載の発明において、前記風誘導路は前記ディスクトレイの先端側から前記スピンドルモータに向けて一箇所設けられ、その途中部から両側方に枝分かれして前記スピンドルモータの側面を風が這うような向きに吹き出されるように略Ｓ字形に形成され、前記風誘導路と枝分かれした風誘導路に誘導された前記風が前記通風路で前記スピンドルモータの側面を這うように通過して前記スピンドルモータを冷却するようにした。
【００１３】
請求項５に記載の発明は、請求項２乃至４のいずれかに記載の発明において、前記通風路は前記スピンドルモータ側でその下部が略Ｌ字形に広がるように形成されている。
【発明の効果】
【００１４】
請求項１に記載の発明によれば、ディスクトレイの先端側からスピンドルモータの近傍まで形成された風誘導路によって、ディスクの回転によって発生した回転風が通風路内に誘導され、左右に分かれてスピンドルモータに這うように流すことができてスピンドルモータに負荷を与えずにスピンドルモータを効果的に冷却することができる。また、この風誘導路はスピンドルモータに近づくにつれてその幅が狭くなるように形成されているので、風の速さを早めることができてスピンドルモータの冷却効果を高めることができる。他の複数の略Ｓ字形の風誘導路から通風路に流れ込む風は、通風路をスピンドルモータに這うように流れるからスピンドルモータに負荷を与えずにスピンドルモータをより一層効果的に冷却することができる。また、これらの風誘導路もスピンドルモータに近づくにつれてその幅が狭くなるように形成されているから、風の速さを早めることができてスピンドルモータの冷却効果をより一層高めることができる。更に、通風路がスピンドルモータ側でその下部が斜め下向きに形成されているから、この通風路を流れる風でスピンドルモータのほぼ全体を冷却することができる。従って、ディスクの回転時に生じる風でスピンドルモータの温度上昇を効率よく抑制することができ、スピンドルモータに負荷を与えないから、安価なモータを用いてもその耐久性が損なわれずにコストダウンを図ることができる。
【００１５】
請求項２に記載の発明によれば、ディスクの回転によって生じる回転風を１又は複数の風誘導路によって通風路に風を送り込むから、この通風路を流れる風がスピンドルモータを這うように通過してスピンドルモータを冷却することができる。従って、ディスクの回転時に生じる風でスピンドルモータの温度上昇を効率よく抑制することができ、スピンドルモータに負荷を与えないから、安価なモータを用いてもその耐久性が損なわれずにコストダウンを図ることができる。
【００１６】
請求項３に記載の発明によれば、風誘導路がスピンドルモータに近づくにつれてその幅が狭くなるように形成されているから、風誘導路を流れる風の速さを早めることができ、スピンドルモータの冷却効果を高めることができる。
【００１７】
請求項４に記載の発明によれば、ディスクトレイの先端側からスピンドルモータに向けて一箇所設けられた風誘導路から通風路に向けて風が左右に流れ込み、更に途中部から両側に枝分かれした略Ｓ字形の風誘導路から通風路に向けて風がスピンドルモータに這うように流れ込むから、モータに負荷を与えることなくスピンドルモータの冷却効果を高めることができる。
【００１８】
請求項５に記載の発明によれば、通風路がスピンドルモータ側でその下部が略Ｌ字形に広がるように形成されているから、この通風路を流れる風でスピンドルモータのほぼ全体を冷却することができる。
【発明を実施するための最良の形態】
【００１９】
以下、本発明に係るディスク装置の実施の形態について、図を参照しつつ説明する。
【００２０】
図１は本発明の第１実施形態のディスク装置におけるディスクトレイの表面を示す概略平面図、図２は同ディスクトレイの内部形状を示し、（ａ）はその概略底面図、（ｂ）はその部分拡大断面図、図３はディスク装置の概略縦断面図、図４は風誘導路形成部の部分斜視図である。
【００２１】
図３に示すように、ディスクＤのセット位置を挟んで、その下側にはスピンドルモータ１の回転軸２に直結されたターンテーブル３が配置され、その上側にはフレーム（図示略）に取り付けられている横架材４に取り付けられたクランパー５が配置されている。スピンドルモータ１は可動フレーム６に配置されており、この可動フレーム６の動作を通じてチャッキング要素としてのターンテーブル３が上下移動してディスクトレイ７の開口７ａを通過すると、ディスクトレイ７に載置されているディスクＤがターンテーブル３に受け渡されてそのディスクＤがディスクトレイ７から浮き上がり、このディスクＤがターンテーブル３とクランパー５とでチャッキングされる。
【００２２】
そして、スピンドルモータ１の回動によって回転軸２を介してターンテーブル３が回転し、これと一体にディスクＤが回転してその記録面が光学的に走査されるように構成されている。ディスクトレイ７にはディスクＤの回転により生じる回転風が流れ込む複数の風誘導路８が形成されており、それらの風入口８ａから回転風が流入し、スピンドルモータ１を取り巻くように形成された通風路９に風が流れ込み、この通風路９を流れる風によってスピンドルモータ１が冷却されるようになっている。風誘導路８は、図４に示すように、風入口８ａに通じる下向きの風導入路８ｂを有し、風入口８ａから風導入路８ｂを風が流れて下側に流れ込むように形成されている。
【００２３】
風誘導路８の風入口８ａは、図１に示すように、ディスクトレイ７のディスク載置部７ｂの外側に複数箇所形成されている。そして、図２（ａ）に示すように、ディスクトレイ７の先端側からスピンドルモータ１の近傍まで形成された風誘導路８は、スピンドルモータ１に近づくにつれてその幅が狭くなるように形成され、ディスクトレイ７の側部側に形成された他の複数の風誘導路８はスピンドルモータ１の側面を風が這うような向きに吹き出すように略Ｓ字形に形成されると共にスピンドルモータ１に近づくにつれてその幅が狭くなるように形成されている。また、風通風路９は、図２（ｂ）に示ように、スピンドルモータ１側でその下部９ａが斜め下向きに形成されている。上記構成により、各風誘導路８に誘導された風が風通風路９でスピンドルモータの側面に這うように通過してスピンドルモータ１を冷却するようになっている。
【００２４】
従って、この第１実施形態によれば、ディスクトレイ７の先端側からスピンドルモータ１の近傍まで形成された風誘導路８によって、ディスクＤの回転によって発生した回転風が通風路９内に誘導され、左右に分かれてスピンドルモータ１に這うように流すことができてスピンドルモータ１に負荷を与えずにスピンドルモータ１を効果的に冷却することができる。また、この風誘導路８はスピンドルモータ１に近づくにつれてその幅が狭くなるように形成されているので、風の速さを早めることができてスピンドルモータ１の冷却効果を高めることができる。他の複数の略Ｓ字形の風誘導路８から通風路９に流れ込む風は、通風路９をスピンドルモータ１に這うように流れるからスピンドルモータ１に負荷を与えずにスピンドルモータ１をより一層効果的に冷却することができる。
【００２５】
また、これらの風誘導路８もスピンドルモータ１に近づくにつれてその幅が狭くなるように形成されているから、風の速さを早めることができてスピンドルモータ１の冷却効果をより一層高めることができる。更に、通風路９がスピンドルモータ側でその下部９ａが斜め下向きに形成されているから、この通風路９を流れる風でスピンドルモータ１のほぼ全体を冷却することができる。従って、ディスクＤの回転時に生じる風でスピンドルモータ１の温度上昇を効率よく抑制することができ、スピンドルモータ１に負荷を与えないから、安価なモータを用いてもその耐久性が損なわれずにコストダウンを図ることができる。
【００２６】
図５は第２実施形態のディスク装置におけるディスクトレイの内部構造を示す概略断面図、図６は同ディスクトレイの部分拡大断面図である。
【００２７】
この第２実施形態のディスク装置は、図５に示すように、風誘導路８がディスクトレイ７の先端側からスピンドルモータ１に向けて一箇所設けられ、その途中部から両側方に向けて枝分かれしてスピンドルモータ１の側面を風が這うような向きに吹き出されるようにＳ字形に形成され、風誘導路８と枝分かれした風誘導路８Ａ、８Ｂに誘導された風が後述する通風路９Ａでスピンドルモータ１の側面を這うように通過するように構成されている。通風路９Ａは、図６に示すように、スピンドルモータ１側でその下部９ｂが略Ｌ字形に広がるように形成されている。
【００２８】
従って、この第２実施形態によれば、ディスクトレイ７の先端側からスピンドルモータ１に向けて一箇所設けられた風誘導路８から通風路９Ａに向けて風が左右に流れ込み、更に途中部から両側に枝分かれした略Ｓ字形の風誘導路８Ａ、８Ｂから通風路９Ａに向けて風がスピンドルモータ１に這うように流れ込むから、スピンドルモータ１に負荷を与えることなくスピンドルモータ１の冷却効果を高めることができる。更に、通風路９Ａがスピンドルモータ１側でその下部９ｂが略Ｌ字形に広がるように形成されているから、この通風路９Ａを流れる風でスピンドルモータ１のほぼ全体を冷却することができる。
【００２９】
尚、本発明は、上記実施形態に限らず、例えば、ディスクトレイ７の先端側からスピンドルモータ１に向けて風誘導路８が一箇所設けられ、この風誘導路８から風が通風路に流れ込むように構成し、この通風路でスピンドルモータ１の側面を風が這うように流れてスピンドルモータ１が冷却されるように構成してもよいことは勿論である。
【図面の簡単な説明】
【００３０】
【図１】本発明の第１実施形態のディスク装置におけるディスクトレイの表面を示す概略平面図である。
【図２】同ディスクトレイの内部形状を示し、（ａ）はその概略底面図、（ｂ）はその部分拡大断面図である。
【図３】ディスク装置の概略縦断面図である。
【図４】風誘導路形成部の部分斜視図である。
【図５】第２実施形態のディスク装置におけるディスクトレイの内部構造を示す概略断面図である。
【図６】同ディスクトレイの部分拡大断面図である。
【図７】従来のディスク装置を示す概略縦断面図である。
【図８】同ディスクトレイの概略底面図である。
【図９】従来の他の例のディスク装置を示し、（ａ）はその縦断面図、（ｂ）はその部分斜視図である。
【図１０】従来のハードディスクドライブの空気浄化装置を示し、（ａ）はその平面図、（ｂ）はその縦断面図である。
【符号の説明】
【００３１】
Ｄ        ディスク
１        スピンドルモータ
２        回転軸
３        ターンテーブル
４        横架材
５        クランパー
６        可動フレーム
７        ディスクトレイ
７ａ      開口
７ｂ      ディスク載置部
８        風誘導路
８Ａ      枝分かれした風誘導路
８Ｂ      枝分かれした風誘導路
８ａ      風入口
８ｂ      風導入路
９        通風路
９Ａ      通風路
９ａ      下部
９ｂ      下部
【図１】
2008176874.tif 000003
【図２】
2008176874.tif 000004
【図３】
2008176874.tif 000005
【図４】
2008176874.tif 000006
【図５】
2008176874.tif 000007
【図６】
2008176874.tif 000008
【図７】
2008176874.tif 000009
【図８】
2008176874.tif 000010
【図９】
2008176874.tif 000011
【図１０】
2008176874.tif 000012